(57)【要約】  本発明は、栄養成分（栄養剤）のための新規の送達系に関する。これらの栄養成分は、単胃動物、特にヒトにおいて、腸及び代謝の健康のために有用である。【選択図】なし【特許請求の範囲】
【請求項１】
（ａ）少なくとも１つの水溶性ビタミンを含む固体コアと、
（ｂ）架橋された少なくとも１つの発酵性バイオポリマーを含む内側コーティングと、
（ｃ）胃条件に対して耐性があり、且つ小腸において放出性である外側コーティングと
からなる送達系。
【請求項２】
前記固体コアがビタミンＢ２を含む、請求項１に記載の送達系。
【請求項３】
前記内側コーティングの材料が、アルギネート、キトサン、ペクチン、シクロデキストリン及び他のガムからなる群から選択される、請求項１〜２のいずれか一項に記載の送達系。
【請求項４】
前記内側コーティング層がＭｇ及び／又はＣａイオンで架橋されている、請求項１〜３のいずれか一項に記載の送達系。
【請求項５】
前記外側コーティングが、シェラック、メタクリレートコポリマー及び脂肪からなる群から選択される、請求項１〜４のいずれか一項に記載の送達系。
【請求項６】
バッチ式で実行される、請求項１〜５のいずれか一項に記載の送達系の製造方法。
【請求項７】
連続的に実行される、請求項１〜５のいずれか一項に記載の送達系の製造方法。
【請求項８】
請求項１〜５のいずれか一項に記載の少なくとも１つの送達系を用いた、プレミックス、栄養補助食品、食品、飼料製品、パーソナルケア製品又は医薬品の製造方法。
【請求項９】
請求項１〜５のいずれか一項に記載の少なくとも１つの送達系を含むプレミックス、栄養補助食品、食品、飼料製品、パーソナルケア製品又は医薬品。
【発明の詳細な説明】
【発明の詳細な説明】
【０００１】
本発明は、大腸のための水溶性ビタミン（すなわち、ビタミンＢ群（特にＢ２））の新規の送達系に関する。これらの栄養成分は、単胃動物（例えば、ブタ及び家禽、並びに魚類など）、特にヒトにおいて、腸及び代謝の健康のために有用である。
【０００２】
ここ数年間、腸の健康を促進する製品に対する消費者の関心の増大を観察することができた。多数の新しい製品が市場に現れ、消費者に広く受け入れられた。
【０００３】
また、代謝及び免疫、並びに肥満症、炎症、心血管疾患及び糖尿病に対する腸内細菌叢の潜在的効果についての研究も増えてきた。
【０００４】
リボフラビン（ビタミンＢ２）は、大腸に送達されると、健康な腸のマーカー種であるフィーカリバクテリウム・プラウスニッツィ（Ｆａｅｃａｌｉｂａｃｔｅｒｉｕｍ  ｐｒａｕｓｎｉｔｚｉｉ）の成長に対して有益な効果を有することが知られている。欧州特許第２９１４１３５号明細書には、Ｆ．（Ｆ．Ｐｒａｕｓｎｉｔｚｉｉ）の選択的刺激のためのリボフラビンの使用が記載されている。しかしながら、大腸に到達する前に大部分が既に破壊又は吸収されるので、非常に高投与量のリボフラビンが必要とされる。
【０００５】
小腸又は大腸における放出は、通常、徐放性カプセル又は錠剤を用いて達成される。活性物質は、徐放性をもたらす１つ又は複数のコーティングでコーティングされたカプセル又は錠剤内に取り込まれる。しかしながら、送達系としての錠剤及びカプセルにはいくつかの欠点がある。単一の錠剤又はカプセル内に取り込むことができる活性剤の量は、使用可能な容積によって制限される。特に、非常に若い患者及び高齢患者は、錠剤又はカプセルを嚥下するのが困難である。カプセル及び錠剤の胃内の滞留時間は非常に可変的であり、且つ放出は極めて時間通りであり、これにより、活性剤の非常に高い局所濃度がもたらされる可能性があり、悪影響を引き起こし得る。
【０００６】
粉末、顆粒、小ビーズ又はペレットのような多微粒子形態は、これらの欠点を克服する。しかしながら、多微粒子剤形上に徐放性コーティングを適用するのは、錠剤又はカプセルと比べて比表面積がより大きいために困難である。均一に分布した十分な厚さのコーティング層を達成するために、必要とされるコーティング材料の量は錠剤又はカプセルよりもはるかに多く、ペイロードに利用可能な空間が低減される。
【０００７】
小腸での放出に適したコーティング材料は、多くの場合、ｐＨ感受性ポリマーを含む。このアプローチは、胃（ｐＨ１．５〜３．５）及び小腸（ｐＨ５．５〜６．８）から大腸（６．４〜７．０）へと次第に上昇するＧＩＴ内のｐＨ勾配の存在を利用する。最も一般的に使用されるｐＨ依存性ポリマーはアクリル酸及びセルロースの誘導体である。種々のｐＨ依存性コーティングポリマーには、酢酸フタル酸セルロース（ＣＡＰ）（Ａｑｕａｔｅｒｉｃ（登録商標））、ポリ酢酸フタル酸ビニル（ＰＶＡＰ）（Ｃｏａｔｅｒｉｃ（登録商標））、フタル酸ヒドロキシプロピルメチルセルロース（ＨＰＭＣＰ）、及びメタクリレートコポリマー又はＥｕｄｒａｇｉｔとして一般的に知られているメタクリル酸コポリマーが含まれる。
【０００８】
ｐＨ感受性コーティング技術の重要な制限は、コーティングが溶解し始める可能性のある場所及び環境の不確実性である。腸溶コーティングだけでは、ＧＩ運動の変動のために小腸における早期の薬物放出をもたらすことがあり得る。
【０００９】
結腸領域における薬物放出の機序としてＧＩ細菌叢を使用することは、これまで研究者の強い関心を引いてきた。細菌はＧＩ管全体に分布しているが、その大部分は遠位腸（ｄｉｓｔａｌ  ｇｕｔ）に存在する。結腸細菌は嫌気的な性質であることが多く、上部ＧＩ管における消化を逃れた炭水化物及びタンパク質などの内在性基質及び外来性基質の両方を代謝することができる酵素を分泌する。植物（例えば、ペクチン、グァーガム、イヌリン）、動物（例えば、キトサン、コンドロイチン硫酸）、藻類（例えば、アルギネート）、又は微生物（例えば、デキストラン）起源の天然に存在する多糖類が結腸ターゲティングのために研究された。これらは、バクテロイデス（ｂａｃｔｅｒｏｉｄｅｓ）及びビフィズス菌（ｂｉｆｉｄｏｂａｃｔｅｒｉａ）のような糖分解種によって結腸細菌叢で単糖に分解される。［Ｊｏｓｅ，Ｓ．，Ｋ．Ｄｈａｎｙａ，Ｔ．Ａ．Ｃｉｎｕ，Ｊ．Ｌｉｔｔｙ  ａｎｄ  Ａ．Ｊ．Ｃｈａｃｋｏ（２００９）．”Ｃｏｌｏｎ  ｔａｒｇｅｔｅｄ  ｄｒｕｇ  ｄｅｌｉｖｅｒｙ：ｄｉｆｆｅｒｅｎｔ  ａｐｐｒｏａｃｈｅｓ．”Ｊ．Ｙｏｕｎｇ  Ｐｈａｒｍ．１（１）：１３−１９］。
【００１０】
大腸で特異的に分解されるが、これらのポリマーの多くは親水性の性質であり、上部ＧＩ条件への暴露下で膨潤し、早期の薬物放出が引き起こされる。さらに、これらの発酵性ポリマーは、通常、溶液中で非常に高い粘度を示し、これにより、より高い濃度での処理が困難又は不可能になる。
【００１１】
発酵性バイオポリマーは、カプセル化マトリックスとして使用されている。マトリックスカプセル化において、活性物質は、保護マトリックス、この場合は発酵性バイオポリマーの中に均一に分配される。しかしながら、マトリックスカプセル化は、いくつかの重大な欠点を有する。バイオポリマーは高粘度であるために、例えば、スプレー乾燥又はゲルカプセル化におけるマトリックス溶液は非常に希薄であり、それにより、乾燥が困難且つ高価になる。マトリックスカプセル化におけるペイロードは比較的低い（通常、５０％未満）。
【００１２】
ここで、本発明の目標は、水溶性ビタミン（すなわち、ビタミンＢ群（特に、Ｂ２））の有効性及び効力が改善されるように、胃及び小腸を通る輸送の間（大腸で放出される前）の水溶性ビタミン（すなわち、ビタミンＢ群（特に、Ｂ２））の安定性を改善するための改善された多微粒子送達系（製剤）を見出すことであった。
【００１３】
さらに、新規の送達系は、簡単且つ工業に適用可能な方法で製造できなければならない。
【００１４】
少なくとも１つの栄養剤（ｎｕｔｒａｃｅｕｔｉｃａｌ）を含む固体コアを特定の内側コーティング及び特定の外側コーティングでコーティングすると、送達系は改善された特性を有することが見出された。さらに、送達系は、バッチ式プロセスにおいても連続的プロセスにおいても製造することができる。
【００１５】
本発明に従う新規の送達系（ＤＳ）は、
（ａ）少なくとも１つの水溶性ビタミン（特に、ビタミンＢ２）を含む固体コアと、
（ｂ）架橋された少なくとも１つの発酵性バイオポリマーを含む内側コーティングと、
（ｃ）胃条件に対して耐性があり、且つ小腸において放出性である外側コーティングと
からなる。
【００１６】
コア内にある活性物質は水溶性ビタミン、特にビタミンＢ群であり、より好ましくはビタミンＢ２である。
【００１７】
必要とされる場合、又は希望される場合、他の栄養剤をコア（又はコーティング）内に取り込むことができる。栄養剤は、動物において健康上の利益を提供する化合物である。
【００１８】
本発明において好ましい栄養剤は、有機酸、オメガ３脂肪酸、オメガ６脂肪酸、オメガ８脂肪酸、長鎖脂肪酸、ポリフェノール（例えば、レスベラトロール又はゲニステインなど）、プレバイオティクス、プロバイオティクス、精油、及び抗菌ペプチドである。
【００１９】
したがって、本発明は、固体コアが、有機酸、オメガ３脂肪酸、オメガ６脂肪酸、オメガ８脂肪酸、長鎖脂肪酸、ポリフェノール（例えば、レスベラトロール又はゲニステインなど）、プレバイオティクス、プロバイオティクス、精油、及び抗菌ペプチドからなる群から選択される少なくとも１つの栄養剤を含む送達系（ＤＳ）である、送達系（ＤＳ１）に関する。
【００２０】
好ましい有機酸は、短鎖脂肪酸（ＳＣＦＡ）及びその塩である。
【００２１】
短鎖脂肪酸は、２〜６個の炭素原子を有する脂肪酸である。本発明との関連では、ＳＣＦＡは、以下の：ギ酸、酢酸、プロピオン酸、酪酸、イソ酪酸、吉草酸、及びイソ吉草酸、並びにこれらの酸の塩である。特に好ましいのは、プロピオン酸及びその塩である。
【００２２】
本発明との関連で最も好ましい水溶性ビタミンはビタミンＢ２（リボフラビン）である。
【００２３】
したがって、本発明は、水溶性ビタミンがビタミンＢ２である送達系（ＤＳ）又は（ＤＳ１）である、送達系（ＤＳ２）に関する。
【００２４】
さらに、本発明の別の実施形態は、活性成分（栄養剤）としてビタミンＢ２のみを含む送達系に関する。これは、送達系（固体コア及びコーティング）が、有機酸、オメガ３脂肪酸、オメガ６脂肪酸、オメガ８脂肪酸、長鎖脂肪酸、ポリフェノール（例えば、レスベラトロール又はゲニステインなど）、プレバイオティクス、プロバイオティクス、精油、及び抗菌ペプチドからなる群から選択される任意の他の栄養剤を含まないことを意味する。
【００２５】
したがって、本発明は、送達系（固体コア及びコーティング）が有機酸、オメガ３脂肪酸、オメガ６脂肪酸、オメガ８脂肪酸、長鎖脂肪酸、ポリフェノール（例えば、レスベラトロール又はゲニステインなど）、プレバイオティクス、プロバイオティクス、精油、及び抗菌ペプチドからなる群から選択される任意の他の栄養剤を含まない送達系（ＤＳ）、（ＤＳ１）又は（ＤＳ２）である、送達系（ＤＳ３）に関する。
【００２６】
本発明に従う送達系は、定義される基準を満たすことが必要である内側コーティングを含む。内側コーティング（発酵性バイオポリマー）に適した材料は、例えば、アルギネート、キトサン、ペクチン、シクロデキストリン、及び他のガムである。内側コーティングのための好ましいコーティング材料は、アルギネート又はペクチンである。
【００２７】
内側コーティングは架橋されている。これは、周知の架橋化合物によって行うことができる。アルギネートが使用される場合、これは、Ｍｇ及び／又はＣａイオンによって（塩の使用によって）行うことができる。架橋剤は、内側コーティングに適用された後、又はそれと同時に、固体コア上に噴霧することができる。又は、架橋剤を含む溶液内に、コーティングされた粒子を浸漬することができる。
【００２８】
好ましくは、架橋剤は、内側コーティング層に適用された後に粒子上に噴霧される。
【００２９】
本発明の別の利点は、本発明に従う新規の送達系の製造をバッチ式で及び連続的に実行できることにもある。従来技術から知られている系とは対照的に、このような製品の工業生産も考慮して、これは大きな利点である。プロセスの詳細は以下に開示される。
【００３０】
したがって、本発明は、内側コーティングの材料が、アルギネート、キトサン、ペクチン、シクロデキストリン、及び他のガムからなる群から選択された送達系（ＤＳ）、（ＤＳ１）、（ＤＳ２）又は（ＤＳ３）である、送達系（ＤＳ４）に関する。
【００３１】
したがって、本発明は、内側コーティングの材料がアルギネート又はペクチンである送達系（ＤＳ４）である、送達系（ＤＳ４’）に関する。
【００３２】
内側コーティング層は、コアを（程度の差はあるが）完全に被覆している。理想的に、内側コーティングの層は、固体コア上に適用されたときに（程度の差はあるが）同じ厚さを有する。
【００３３】
通常、内側コーティング層の厚さは少なくとも５μｍであり、且つ２０μｍ以下である。好ましくは、内側コーティング層の厚さは、５μｍ〜１０μｍである。
【００３４】
したがって、本発明は、内側コーティング層の厚さが５μｍ〜１０μｍである送達系（ＤＳ）、（ＤＳ１）、（ＤＳ２）、（ＤＳ３）、（ＤＳ４）又は（ＤＳ４’）である、送達系（ＤＳ５）に関する。
【００３５】
内側コーティング層は、少なくとも１つの架橋剤によって架橋される。任意の適切な架橋剤を使用することができる。非常に適切であり、したがって好ましいのは、Ｍｇ及びＣａイオン（これらは塩の形態で添加される）である。
【００３６】
したがって、本発明は、内側コーティング層が少なくとも１つの架橋剤（好ましくはＭｇ及び／又はＣａイオン）によって架橋された送達系（ＤＳ）、（ＤＳ１）、（ＤＳ２）、（ＤＳ３）、（ＤＳ４）、（ＤＳ４’）又は（ＤＳ５）である、送達系（ＤＳ６）に関する。
【００３７】
したがって、本発明は、架橋された内側コーティング層がアルギン酸Ｎａ又はペクチンＮａである送達系（ＤＳ）、（ＤＳ１）、（ＤＳ２）、（ＤＳ３）、（ＤＳ４）、（ＤＳ４’）、（ＤＳ５）又は（ＤＳ６）である、送達系（ＤＳ７）に関する。
【００３８】
本発明に従う送達系は、定義される基準を満たすことが必要である外側コーティングを含む。外側コーティングの基準を満たす適切な材料は、例えば、シェラック、メタクリレートコポリマー及び脂肪である。
【００３９】
したがって、本発明は、外側コーティングの材料が、シェラック、メタクリレートコポリマー及び脂肪からなる群から選択された送達系（ＤＳ）、（ＤＳ１）、（ＤＳ２）、（ＤＳ３）、（ＤＳ４）、（ＤＳ４’）、（ＤＳ５）、（ＤＳ６）又は（ＤＳ７）である、送達系（ＤＳ８）に関する。
【００４０】
外側コーティング層は、内側コーティングを（程度の差はあるが）完全に被覆している。理想的に、外側コーティングの層は、内側コーティング上に適用されたときに（程度の差はあるが）同じ厚さを有する。
【００４１】
通常、外側層の厚さは少なくとも１０μｍであり、且つ通常３０μｍ未満である。好ましくは、外側コーティング層の厚さは、１０μｍ〜２０μｍである。
【００４２】
したがって、本発明は、外側コーティング層の厚さが１０μｍ〜２０μｍである送達系（ＤＳ）、（ＤＳ１）、（ＤＳ２）、（ＤＳ３）、（ＤＳ４）、（ＤＳ４’）、（ＤＳ５）、（ＤＳ６）、（ＤＳ７）又は（ＤＳ８）である、送達系（ＤＳ９）に関する。
【００４３】
本発明に従う送達系の固体コアは通常、送達系の全重量を基準として１０〜８５重量％、好ましくは５０〜７５重量％である。
【００４４】
したがって、本発明は、送達系の固体コアが、送達系の全重量を基準として１０〜８５重量％、好ましくは５０〜７５重量％である送達系（ＤＳ）、（ＤＳ１）、（ＤＳ２）、（ＤＳ３）、（ＤＳ４）、（ＤＳ４’）、（ＤＳ５）、（ＤＳ６）、（ＤＳ７）、（ＤＳ８）又は（ＤＳ９）である、送達系（ＤＳ１０）に関する。
【００４５】
本発明に従う送達系の内側コーティングは通常、送達系の全重量を基準として１〜２０重量％、好ましくは１〜１０重量％である。
【００４６】
したがって、本発明は、送達系の内側コーティングが、送達系の全重量を基準として１０〜８５重量％、好ましくは１〜１０重量％である送達系（ＤＳ）、（ＤＳ１）、（ＤＳ２）、（ＤＳ３）、（ＤＳ４）、（ＤＳ４’）、（ＤＳ５）、（ＤＳ６）、（ＤＳ７）、（ＤＳ８）、（ＤＳ９）又は（ＤＳ１０）である、送達系（ＤＳ１１）に関する。
【００４７】
本発明に従う送達系の外側コーティングは通常、送達系の全重量を基準として１〜３０重量％、好ましくは１５〜３０重量％である。
【００４８】
したがって、本発明は、送達系の外側コーティングが、送達系の全重量を基準として１〜３０重量％、好ましくは１５〜３０重量％である送達系（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）又は（ＤＳ１１）である、送達系（ＤＳ１２）に関する。
【００４９】
本発明に従う送達系は、最大２ｍｍまでのサイズであり得る。サイズは、粒子の最長直径によって画定される。粒子の形状は、本発明の本質的な特徴ではない。また、粒子のサイズ分布も本質的ではない。粒子のサイズ及び形状は、主に、送達系の固体コアによって画定される。送達系の使用に応じて、サイズを調整することができる。
【００５０】
本発明に従う送達系は、周知の技術によって製造される。
【００５１】
通常、最初のステップで固体コアが製造され、次に、内側及び外側コーティングが適用される。
【００５２】
上記で開示されるように、新規の送達系の主な利点の１つ（送達系の特性以外に）は送達系の製造方法にある。新規の送達系は、バッチ式で又は連続的に製造することができる。
【００５３】
バッチ式で製造する場合、新規の粒子は、次のように製造することができる：
第１のステップでは、スプレー乾燥プロセスによって固体コアが製造され、第２のステップでは、スプレーコーティングによって固体コア（第１のステップで得られる）が内側コーティングのコーティング材料でコーティングされ、次に架橋剤が粒子上に噴霧される。第３のステップでは、前述のステップで得られた粒子上に外側コーティングが噴霧され、最後に粒子が乾燥される。
【００５４】
この方法の利点は、各ステップを同じ装置（スプレーコーター）で実行することができ、技術的努力が軽減されることである。すなわち、それでもまず固体コアを製造し、それを貯蔵し、次にそれをコーティングすることが可能である。
【００５５】
新規の送達系を製造する方法の別の選択肢は連続プロセスであり、まず固体コアが製造され、次にコーティングステップが実行されて、次々と粒子上に噴霧する。これらのプロセスは工業規模で適用するために理想的である。
【００５６】
したがって、本発明は、粒子（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）又は（ＤＳ１２）のいずれかの製造方法（Ｐ）にも関し、この方法はバッチ式で実行される。
【００５７】
したがって、本発明は、粒子（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）又は（ＤＳ１２）のいずれかの製造方法（Ｐ１）にも関し、この方法は連続的に実行される。
【００５８】
本発明に従う新規の送達系（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）及び／又は（ＤＳ１２）はそれ自体で使用することもできるし、又は適用形態に取り込むこともできる。
【００５９】
新規の送達系（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）及び／又は（ＤＳ１２）は、任意の栄養補助食品、食品、飼料製品、パーソナルケア製品又は医薬品において、それ自体で使用することができる。
【００６０】
また新規の送達系（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）及び／又は（ＤＳ１２）はプレミックス製剤の一部であってもよく、これは次に、任意の栄養補助食品、食品、飼料製品、パーソナルケア製品又は医薬品を配合するために使用することができる。
【００６１】
また本発明は、少なくとも１つの送達系（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）又は（ＤＳ１２）を用いた、プレミックス、栄養補助食品、食品、飼料製品、パーソナルケア製品又は医薬品の製造方法にも関する。
【００６２】
また本発明は、少なくとも１つの送達系（ＤＳ）、（ＤＳ１）、（ＤＳ２）、（ＤＳ３）、（ＤＳ３’）、（ＤＳ３”）、（ＤＳ４）、（ＤＳ５）、（ＤＳ５’）、（ＤＳ６）、（ＤＳ７）、（ＤＳ８）、（ＤＳ９）、（ＤＳ１０）、（ＤＳ１１）又は（ＤＳ１２）を含むプレミックス、栄養補助食品、食品、飼料製品、パーソナルケア製品又は医薬品にも関する。
【００６３】
以下の実施例は、本明細書において特許請求される本発明の特定の実施形態を説明するのに役立つ。全ての割合は重量に関して与えられ、温度は全て摂氏温度で与えられる。
【００６４】
［実施例］
［実施例１：］
１２ｇのアルギン酸Ｎａ（ｇｒｉｎｓｔｅｄアルギン酸ナトリウム）を５６８ｇの水中に５０℃で攪拌しながら溶解させた。１．５ｇの塩化Ｃａ二水和物を１４８．５ｇの水中に溶解させた。８０ｇの粒状リボフラビン（Ｂ２  Ｕｎｉｖｅｒｓａｌ、ＤＳＭ）を流動床処理装置（ＷＦＰ  ｍｉｎｉ、ＤＭＲ、Ｗｕｒｓｔｅｒ構成）に充填した。全てのコーティングステップを約４０℃の製品温度で実施した。まずアルギネート溶液を流動化リボフラビン粒上に噴霧した。アルギネート溶液を噴霧した後、補給チューブを水で簡単に洗浄した。塩化Ｃａ溶液を４０℃で硬化のために内側コーティング上に噴霧した。溶液を硬化させた後、固形分が２５％の１１７ｇの水性シェラック調製物（Ａｑｕａｇｏｌｄ  ＳＳＢ、Ｓｔｒｏｅｖｅｒ）を外側コーティングとして噴霧した。シェラックを噴霧した後、流動床で製品を乾燥させた。１０３ｇのコーティングされた顆粒が得られた。
【００６５】
最終のコーティングされた顆粒の組成は、６０％のリボフラビン、９％のアルギネート、１％の塩化Ｃａ及び３０％のシェラックであった。
【００６６】
ＵＳＰ−４（ＳＯＴＡＸ）装置を用いて、３７．５℃の０．１ＮのＨＣｌにより胃条件下でのリボフラビンの保護を検査した。１時間後に、２０％未満のリボフラビンが放出された。
【国際調査報告】
2021501676.tif 000002
2021501676.tif 000003
2021501676.tif 000004